(57)【要約】      （修正有）【課題】積載物を固定するのに、作業者一人で短時間に作業が完了できる固定手段と、かつ荷崩れ防止用積載物固定ベルトを収納できる手段を提供する。【解決手段】手押し台車の手押し部５に荷崩れ防止用積載物固定ベルト１ａ、１ｂを挿入係止帯との間にできる開口部を挿入して係止し、荷崩れ防止用積載物固定ベルトを収納袋３から引き出して積載物７を取り巻くように一周させる。次に固定ベルトは止め具を通過、反転させて適度の力で引張し積載物とフィットするように締めて固定部材で固定させる。作業が終了したら荷崩れ防止用積載物固定ベルトを収納袋に納めることで、長いベルトの整理と次の作業に備えることが出来る。【選択図】図５
0003139328.tif 000002
【実用新案登録請求の範囲】
【請求項１】
平行する２本の固定ベルトの長手方向に２００ｍｍ〜８００ｍｍの開口を有するように挿入係止帯を固定ベルトに重ねて固定し、固定ベルトの該挿入係止帯端位置から長手方向に荷崩れ防止網が長方形に配置された構造を有することを特徴とする手押し台車の荷崩れ防止用積載物固定ベルト。
【請求項２】
前記、請求項１記載の手押し台車の荷崩れ防止用積載物固定ベルトで、挿入係止帯に荷崩れ防止用積載物固定ベルトを収納するための袋を重ねて固定した構造になっている事を特徴とする手押し台車の荷崩れ防止用積載物固定ベルト。
【請求項３】
前記、請求項２記載の手押し台車の荷崩れ防止用積載物固定ベルトで、挿入係止帯に荷崩れ防止用積載物固定ベルトを収納するための袋は、収納口が固定ベルトの短手方向に配置した構造を有することを特徴とする手押し台車の荷崩れ防止用積載物固定ベルト。
【考案の詳細な説明】
【技術分野】
【０００１】本考案は荷物運搬用手押し台車の積載物の荷崩れを防止する固定ベルトに関する。
【背景技術】
【０００２】従来、荷物運搬用手押し台車での積載物の荷崩れを防止する手段としては、片手で積載物を押さえてゆっくり台車を押すという方法が一般的である。余程大切なものは積載物の周囲をロープで止めたり、ストレッチフィルムを幾重にも巻いて積載物の荷崩れを防止してきた。ロープで止める方法とストレッチフィルムを幾重にも巻いて固定する方法では、その作業時間が長くかかる。また、ストレッチフィルムは一度の使い切り使用で再利用できない事とストレッチフィルムの廃棄費用がかかる欠点を持っていた。又、廃棄したストレッチフィルムを焼却処理した場合、多量の炭酸ガスを発生させるため、環境への影響も好ましい状態ではなかった。これらの欠点を改善する事と、積載物を固定するのに作業者一人で短時間に作業が完了できる手段の提供が望まれていた。
【考案の開示】
【考案が解決しようとする課題】
【０００３】本考案は荷物運搬用の手押し台車に積載物を固定する手段として、ロープやストレッチフィルムに代わる固定手段の提供である。つまり、荷崩れ防止用固定ベルトで積載物を手押し台車に固定することを作業者一人で短時間で確実にでき、かつ作業しないときは荷崩れ防止用固定ベルトを収納できる手段の提供にある。
【課題を解決するための手段】
【０００４】上記の課題を解決すべく本考案者らは鋭意検討した結果、上記の課題は次のような手段によって解決できる事がわかった。
即ち、手押し台車の手押し部に挿入係止帯で係止された積載物固定ベルトを、挿入係止帯に重ねて固定した収容袋から取り出して、積載物を取り巻くように一周させて程よく締めて手押し台車に固定する。この際、手押し台車に挿入係止帯が固定されている事で、積載物固定ベルトの作業開始から積載物の固定までを一人で容易にでき、安全に運搬することが出来る。また、積載物の運搬作業が終了したら、積載物固定ベルトを収納袋に収納することで長い積載物固定ベルトが作業の邪魔になることもなく、次の積載物の固定作業を効率よく行なうことが可能となる。なお、収納袋の収納口が積載物固定ベルトの短手方向にあることで固定ベルトの出入が容易で、美麗に整頓した形での収納が出来るので上記課題を解決できることがわかった。
【考案の効果】
【０００５】手押し台車の手押し部に予め挿入係止帯で係止された積載物固定ベルトを挿入係止帯に重ねて固定した収容袋から引き出して、手押し台車上の積載物を取り巻くように一周させて積載物に程良い締める力を加えて固定し、目的地まで運搬し固定ベルトを外して積載物を降ろしたら固定ベルトを収納袋に納めて一連の作業は完了する。本考案の固定ベルトは予め手押し台車の手押し部の収納袋に収納されているので、固定ベルトを収納袋から引き出すだけで積載物の固定作業が開始出来る。また、挿入係止帯が手押し部に係止されていることで、固定ベルトを積載物へ取り巻くように一周させての固定作業が容易にできる態様にすることで、作業者一人で積載物の固定作業が可能で、安全で安心な運搬作業ができる。本考案の手押し台車用の荷崩れ防止積載物固定ベルトを用いる事によって、従来から行なってきた手で積載物を押さえて運搬するやり方やロープで止める方法、ストレッチフィルムを幾重にも巻く方法と比較して、短時間に安心して積載物の固定ができる。さらに、安全に運搬できることは勿論、運搬時間の短縮と、ストレッチフィルムの廃棄作業の改善と廃棄費用の削減及びストレッチフィルムの焼却処理による炭酸ガスの排出の削減等に結びつけることが可能となる。
【考案を実施するための最良の形態】
【０００６】作業者一人で手押し台車上の積載物を固定する場合において、図２、図４の積載物固定ベルトを収納袋３の収納口３ａから引き出す。この際、挿入係止帯２ａ、２ｂの長手方向を手押し台車の手押し部５に係止することで、積載物の固定開始作業が容易である。次いで、積載物固定ベルトを積載物を取り巻くように一周させて、固定ベルト１ａ、１ｂ上に取り付けた絞め具１ｄ、１ｅを通してから、反転させて程よく締め、Ａ固定部材１ｈ、１ｉはＢ固定部材１ｆ、１ｇに固定する。該作業は積載物の大きさが不揃い、不定形など様々な荷姿に応じて行なうが、作業者一人で短時間で容易に行なうことが出来る。最終的な形態は図５の積載状態となる。
【実施例】
【０００７】以下、本考案を図面を用いて詳細に説明する。
図１は本考案の手押し台車の荷崩れ防止用積載物固定ベルトの立面図である。
図が本考案の積載物荷崩れ防止用固定ベルトであり、１ａ、１ｂは固定ベルトで、４は網である。１ｄ、１ｅは締め具で、１ｆ、１ｇはＢ固定部材で１ｈ、１ｉはＡ固定部材である。３は固定ベルト収納袋であり、３ａは収容袋の出入口である。【０００８】図２は本考案の荷崩れ防止用積載物固定ベルトを収納した状態の上面図である。
１ａは固定ベルトで２ａは挿入係止帯で３は収納袋で３ａは出入口である。【０００９】図３は本考案の荷崩れ防止用積載物固定ベルトの１ａ、１ｂと挿入係止帯２ａ、２ｂとの開口部を手押し台車６の手押し部５に挿入した時の正面見取り図である。【００１０】図４は本考案の荷崩れ防止用積載物固定ベルトの１ａ、１ｂと挿入係止帯２ａ、２ｂとの開口部を手押し台車６の手押し部５に挿入した時の背面見取り図である。【００１１】図５は本考案の荷崩れ防止用積載物固定ベルトを使用して手押し台車上の積載物を固定した時の見取り図である。手押し台車６の手押し部５に荷崩れ防止用積載物固定ベルトの１ａ、１ｂと挿入係止帯２ａ、２ｂとの開口部を挿入して、積載物固定ベルトと手押し台車の手押し部を係止する。収納袋３の出入口３ａから積載物固定ベルトを引き出して、手押し台車６の積載物７を荷崩れ防止用積載物固定ベルトで取り巻くように一周させ、固定部材のベルト部のＡ固定部材１ｈ、１ｉを締め具１ｄ、１ｅを通して反転して適度に引っ張り、締めてＢ固定部材１ｆ、１ｇに固定することで積載物の固定ができる。又、この作業は作業者一人で短時間で容易に出来る事が大きな特徴である。【００１２】図６は荷崩れ防止用積載物固定ベルトに設置した締め具１ｄ、１ｅとＡ固定部材１ｈ、１ｉとＢ固定部材１ｆ、１ｇの立面図である。Ａ固定部材１ｈ、１ｉを接合した固定ベルトを締め具１ｄ、１ｅを通過させて反転、引張して積載物を適度に締めてＢ固定部材１ｆ、１ｇに固定する態様である。【００１３】図１から図５の本考案の荷崩れ防止用積載物固定ベルトの材質と寸法について以下に説明する。荷崩れ防止用積載物固定ベルトのベルト部の材質は塩化ビニル、糸入り塩化ビニル、ポリプロピレンのシートやナイロン、ポリエステル、アクリル繊維等の布で、厚さ０．２〜４ｍｍ、幅３０〜１２０ｍｍで、網の端部を挟み込んで糸で縫い留める態様が好ましく、荷崩れ防止用積載物固定ベルトの大きさは２００〜８００ｍｍ×２０００〜３０００ｍｍが好ましい。網の材質はナイロン、ポリエステル、アクリル繊維、ポリプロピレン等で２〜７ｍｍの太さの直径のロープを編んで網とする。積載物が不定形な場合は伸縮性のあるゴムを上記材質で包んだものが好ましい。網目の大きさは２０〜７０ｍｍが好ましく網の形状は角型か菱形の態様である。３の収納袋の材質はナイロン、ポリエステル、アクリル繊維等が好ましく、積載物固定ベルトを収納して作業に支障のない大きさが好ましい。１ｄ、１ｅの締め具は鉄、真鍮にクロムメッキを施したものや、ポリエチレン、ポリプロピレン、ポリエステル等で形状は蒲鉾の断面が空洞形になったものや空洞の長方形で、固定ベルトに接合されたＡ固定部材１ｈ、１ｉの幅と同等の寸法の空洞が好ましい。固定部材としてはマジックテープや差し込み式止め具などが好ましい態様である。
【産業上の利用可能性】
【００１４】手押し台車に荷物を積載し運搬する運搬作業者及び輸送業界で、手押し台車への荷物、例えば小さな箱、大きさの異なる箱や不定型な物等を数段に重ねて積載し運搬する際、該積載物を作業者一人で固定する場合において、従来利用していたロープやストレッチフィルムに代わって本考案の積載物の荷崩れ防止ネットが利用できる。
【図面の簡単な説明】
【００１５】
【図１】荷崩れ防止用積載物固定ベルトの立面図である。
【図２】荷崩れ防止用積載物固定ベルトの上面図である。
【図３】手押し台車の手押し部に荷崩れ防止用積載物固定ベルトと挿入係止帯の開口部を挿入して係止した正面見取り図である。
【図４】手押し台車の手押し部に荷崩れ防止用積載物固定ベルトと挿入係止帯の開口部を挿入して係止した背面見取り図である。
【図５】手押し台車上の積載物を荷崩れ防止用積載物固定ベルトで固定したときの見取り図
【図６】荷崩れ防止用積載物固定ベルトの締め具と固定部材で固定したときの見取り図
【符号の説明】
【００１６】    １ａ、１ｂ              ：固定ベルト
１ｄ、１ｅ              ：締め具
１ｆ、１ｇ              ：Ｂ固定部材
１ｈ、１ｉ              ：Ａ固定部材
２ａ、２ｂ              ：挿入係止帯
３                      ：収納袋
３ａ                    ：収納袋の出入口
４                      ：荷崩れ防止用積載物固定ベルトの網
５                      ：手押し台車の手押し部
６                      ：手押し台車積載部
７                      ：積載物
【図１】
0003139328.tif 000003
【図２】
0003139328.tif 000004
【図３】
0003139328.tif 000005
【図４】
0003139328.tif 000006
【図５】
0003139328.tif 000007
【図６】
0003139328.tif 000008